(57)【要約】      （修正有）【課題】重ねたガラス片の形状と色彩の組み合わせによって、表現できるデザインの幅が広く、その組み合わせの複雑な複数のガラスを重ねた多層構造のステンドグラスの制作システムを提供する。【解決手段】コンピュータの上に任意のデザインを描き、そのデザインで必要なガラス片の形状を取得し、ガラス片ごとにガラス板の種類を選択し、コンピュータ上にガラス板とその組み合わせの色彩を反映した作品の外観を表示することにより、制作者はデザインの決定とガラス片の選定を容易に行うことができる。【選択図】図８
2011230948.tif 000002
【特許請求の範囲】
【請求項１】
コンピュータ上に任意のデザインを描く描画システムと、デザインを多角形の集合に分割する手段と、多角形の重なりを判定する手段と、ガラス板の色を計測した色彩情報と、複数のガラス板を重ねた際の色を計測した色彩情報と、を備える多層ステンドグラスの制作システム。
【発明の詳細な説明】
【技術分野】
【０００１】
本発明は、複数のガラスを重ねる多層構造のステンドグラスのデザインをコンピュータ上に再現し、その多層ステンドグラスを構成するガラス片の形状データを取得するものである。
【背景技術】
【０００２】
従来、ステンドグラスは多種のガラス板を切断し、整形されたガラス片を繋ぎ合せて１枚のガラスとし、ガラス片の形状と色彩によって任意のデザインを表現するものである。しかし、ステンドグラスの制作は鋭利なガラス片を扱うため、けがの危険性がある。また制作中にデザインを修正することができないため、デザインの自由度が限定されている。
【０００３】
そこでステンドグラスの制作過程を情報システム上に仮想現実的に再現して、ステンドグラス様画像データを制作するシステム（特許文献１）が考案されている。
【先行技術文献】
【特許文献】
【０００４】
【特許文献１】特願２００４−３６１３３９
【発明の概要】
【発明が解決しようとする課題】
【０００５】
複数のガラスを重ねる多層構造のステンドグラスを制作する場合、重ねたガラス片の形状と色彩の組み合わせによって、表現できるデザインの幅が広く、その組み合わせの複雑さにより、デザインの決定とガラス片の選定に相当の時間が掛かる。
【０００６】
そこで本発明では、多層ステンドグラスのデザインをコンピュータ上に再現し、多層ステンドグラスを構成するガラス片の形状データを取得することで、多層ステンドグラスの外観を確認しながら、デザインの決定とガラス片の選定を行うことができるシステムを実現することを目的とする。
【課題を解決するための手段】
【０００７】
本発明は、コンピュータ上に任意のデザインを描く描画システムと、デザインを多角形の集合に分割する手段と、多角形の重なりを判定する手段と、ガラス板の色を計測した色彩情報と、複数のガラス板を重ねた際の色を計測した色彩情報と、を備えることを特徴とする多層ステンドグラスの制作システムである。
【０００８】
本発明の多層ステンドグラスの制作システムによれば、コンピュータの上に任意のデザインを描き、そのデザインで必要なガラス片の形状を取得し、ガラス片ごとにガラス板の種類を選択し、コンピュータ上にガラス板とその組み合わせの色彩を反映した作品の外観を表示することにより、制作者はデザインの決定とガラス片の選定を容易に行うことができる。
【発明の効果】
【０００９】
本発明によれば、制作者はコンピュータ上で多層ステンドグラスの外観を確認しながら制作することが出来、デザインの決定とガラス片の選定を容易に行うことが出来る。
【図面の簡単な説明】
【００１０】
【図１】コンピュータ上に描かれた１枚目のステンドグラスのデザインである。
【図２】ステンドグラスのデザインを多角形の集合に分割した図である。
【図３】多角形をガラス片と見なし、任意のガラス板の種類を当てはめた図である。
【図４】ガラス板を選択した１枚目のステンドグラスの外観である。
【図５】コンピュータ上に描かれた２枚目のステンドグラスのデザインである。
【図６】ガラス板を選択した２枚目のステンドグラスの外観である。
【図７】１枚目のステンドグラスのデザインと２枚目のステンドグラスのデザインを重ねて、重複した部分を抽出した図である。
【図８】重複した部分のガラス片の組み合わせから色彩情報を検索、表示した多層ステンドグラスの外観である。
【発明を実施するための形態】
【００１１】
以下、図面を参照して本発明の実施の形態について説明する。
【００１２】
図１に示すように、制作者は描画システムを用いて１枚目のステンドグラスのデザインをコンピュータ上に描く。
【００１３】
コンピュータは描いたデザインを、図２に示すように多角形の集合として分割する。
【００１４】
図３に示すように、制作者は多角形をガラス片と見なし、それぞれに任意のガラス板の種類を当てはめ、コンピュータが画面に表示する色彩を確認する。
【００１５】
図４に示すように、制作者はコンピュータが表示する１枚目のステンドグラスの外観を確認して、デザインの修正やガラス板の種類の再選択を行う。
【００１６】
図５と図６に示すように、制作者は１枚目のステンドグラスと同様に、２枚目のステンドグラスのデザインをコンピュータ上に描き、ガラス板の種類を選択し、コンピュータが表示する外観を確認する。
【００１７】
図７に示すように、コンピュータは１枚目のステンドグラスと２枚目のステンドグラスのデザインを重ね、重複した部分を抽出する。コンピュータは抽出された部分を多角形として認識し、１枚目のステンドグラスで選択したガラス片と２枚目のステンドグラスで選択したガラス片の種類の組み合わせから色彩情報を検索する。
【００１８】
検索の結果得られた色彩情報を、１枚目と２枚目のステンドグラスの重複した部分に塗布し、多層ステンドグラスの外観として、図８に示すように表示する。
【００１９】
制作者は多層ステンドグラスの外観を確認し、修正が必要な場合はデザインの描画とガラス片の選定を再び行う。
【００２０】
制作者は多層ステンドグラスの外観を確認し、完成と判断した場合は、図３に示すように、完成した多層ステンドグラスから分割された多角形をガラス片の形状データとして取得して、物質の素材を用いて多層ステンドグラスの制作を行う。
【００２１】
なお、多層ステンドグラスは２枚以上のステンドグラスで構成される。
【産業上の利用可能性】
【００２２】
本発明は、複数のガラスを重ねる多層構造のステンドグラスのデザインをコンピュータ上に再現し、その多層ステンドグラスを構成するガラス片の形状データを取得することで、複雑なデザインの多層ステンドグラスの制作を容易にし、形状データを用いた生産を可能とする。
【符号の説明】
【００２３】
１    １枚目のステンドグラスのデザイン
２    ステンドグラスのデザインから分割した多角形１
３    ステンドグラスのデザインから分割した多角形２
４    ガラス板を選択したガラス片１
５    ガラス板を選択したガラス片２
６    １枚目のステンドグラスの外観
７    ２枚目のステンドグラスのデザイン
８    ２枚目のステンドグラスの外観
９    １枚目のステンドグラスのデザイン
１０    ２枚目のステンドグラスのデザイン
１１    多層ステンドグラスのデザイン
１２    デザインの重なった部分
１３    多層ステンドグラスの外観
【図１】
2011230948.tif 000003
【図２】
2011230948.tif 000004
【図３】
2011230948.tif 000005
【図４】
2011230948.tif 000006
【図５】
2011230948.tif 000007
【図６】
2011230948.tif 000008
【図７】
2011230948.tif 000009
【図８】
2011230948.tif 000010